(57)【要約】【課題】表示装置の提供。【解決手段】感知モジュール、制御モジュール、表示モジュールを含む。該表示モジュールはディスプレーを備える。該感知モジュールは周囲に人が存在するかどうかを感知するセンサー、該センサーに安定した作動電圧を提供する電圧安定回路、該センサーが出力した信号を拡大する拡大回路を備える。該制御モジュールは該拡大回路と該ディスプレーの間に連接する。該センサーが周囲に人がいるかどうかを感知すると、それに基づき該ディスプレーのオンとオフを制御する。本考案中では該感知モジュールの周囲に人が近付くと、該制御モジュールにより該ディスプレーのオンとオフを制御し、こうして使用の利便性を高め、エネルギー消費を抑えることができる。【選択図】図１
0003140548.tif 000002
【実用新案登録請求の範囲】
【請求項１】
感知モジュール、制御モジュール、表示モジュールを含み、
該表示モジュールはディスプレーを備え、
該感知モジュールは周囲に人が存在するかどうかを感知するセンサー、該センサーに安定した作動電圧を提供する電圧安定回路、該センサーが出力した信号を拡大する拡大回路を備え、
該制御モジュールは該拡大回路と該ディスプレーの間に連接し、該センサーが周囲に人がいるかどうかを感知すると、それに基づき該ディスプレーのオンとオフを制御することを特徴とする表示装置。
【請求項２】
前記制御モジュールは信号保持回路と電子スイッチを備え、該信号保持回路は該拡大回路と連接し、該電子スイッチは該信号保持回路及び該ディスプレーと連接することを特徴とする請求項１記載の表示装置。
【請求項３】
前記感知モジュールは赤外線感知モジュールで、該センサーは赤外線センサーであることを特徴とする請求項１記載の表示装置。
【考案の詳細な説明】
【技術分野】
【０００１】
本考案は表示装置に関する。特にデジタルフレーム及びコンピュータに応用する表示装置に係る。
【背景技術】
【０００２】
科学技術の進歩と社会の発展に従い、デジタルフレーム及びコンピュータの応用は日増しに普及している。人々はデジタルフレーム、コンピュータの表示装置のディスプレーを通して情報をブラウズする。しかし、ディスプレーは消費電力が大きいため、デジタルフレーム及びコンピュータには通常、制御キーが設置され、該制御キーによりディスプレーをオン或いは休眠状態に制御し、節電の目的を達成する。
【０００３】
例えば、コンピュータのディスプレーの休眠装置は一定の時間が過ぎても、マウス或いはキーボードからコンピュータに信号が入力されなければ、ディスプレーは休眠状態に入る。つまり、モニターは情報を表示せず、或いは「スクリーンセーバー画面」を表示する。しかし、デジタルフレームの使用においては、使用者はその上にあるボタンなどの入力装置をほとんど使用しないため、デジタルフレーム上の休眠ボタンを使用者が操作する必要がある場合、もし頻度が高ければ使用上不便である。
【０００４】
公知技術では、手動制御を通して制御キーを制御しデジタルフレーム及びコンピュータをオン或いはオフ状態にする必要があり、しかも使用者はディスプレーのオフを忘れ易く、スクリーンはいつまでもオンの状態を続けることが多いため、エネルギーの浪費を招き、さらに使用者に不便を掛けている。
【考案の開示】
【考案が解決しようとする課題】
【０００５】
本考案が解決しようとする課題は、上記のような公知技術に存在する欠点に対して使用の利便性が高い表示装置を提供することである。
【０００６】
上記課題を解決するため、本考案は下記の表示装置を提供する。
感知モジュール、制御モジュール、表示モジュールを含み、
該表示モジュールはディスプレーを備え、
該感知モジュールは周囲に人が存在するかどうかを感知するセンサー、該センサーに安定した作動電圧を提供する電圧安定回路、該センサーが出力した信号を拡大する拡大回路を備え、
該制御モジュールは該拡大回路と該ディスプレーの間に連接し、
該センサーが周囲に人がいるかどうかを感知すると、それに基づき該ディスプレーのオンとオフを制御する。
【課題を解決するための手段】
【０００７】
請求項１の考案は、感知モジュール、制御モジュール、表示モジュールを含み、
該表示モジュールはディスプレーを備え、
該感知モジュールは周囲に人が存在するかどうかを感知するセンサー、該センサーに安定した作動電圧を提供する電圧安定回路、該センサーが出力した信号を拡大する拡大回路を備え、
該制御モジュールは該拡大回路と該ディスプレーの間に連接し、該センサーが周囲に人がいるかどうかを感知すると、それに基づき該ディスプレーのオンとオフを制御することを特徴とする表示装置としている。
請求項２の考案は、前記制御モジュールは信号保持回路と電子スイッチを備え、該信号保持回路は該拡大回路と連接し、該電子スイッチは該信号保持回路及び該ディスプレーと連接することを特徴とする請求項１記載の表示装置としている。
請求項３の考案は、前記感知モジュールは赤外線感知モジュールで、該センサーは赤外線センサーであることを特徴とする請求項１記載の表示装置としている。
【考案の効果】
【０００８】
本考案の表示装置は感知モジュールを通して周囲に人がいるかどうかを感知し、次に制御モジュールによりディスプレーのオン或いはオフを制御する。こうして使用者は手動でディスプレーのオンとオフを制御する必要がなくなるため、使用の利便性が向上し、しかも本考案の表示装置はディスプレーを即時にオン或いはオフ可能であるため、エネルギー消費を抑えることができる。
【考案を実施するための最良の形態】
【０００９】
図１に示すように、本考案表示装置１は順番に連接する感知モジュール１０、制御モジュール２０、表示モジュール３０を含む。
【００１０】
該表示モジュール３０はディスプレー３１を備える。該感知モジュール１０は赤外線或いは超音波の感知方式を用いるが、本実施例中では赤外線感知モジュール１０とする。該赤外線感知モジュール１０は赤外線センサー１１、拡大回路１２、電圧安定回路１３などを含む。
該赤外線センサー１１は周囲の人体が発する赤外線を感知し、人がいるかどうかを確認する。本考案の表示装置１を使用すれば、該赤外線センサー１１が周囲の人体が発する赤外線を感知するとトリガー信号を発する。該電圧安定回路１３は該赤外線センサー１１に安定した作動電圧を提供する。該拡大回路１２と該赤外線センサー１１は連接し、該赤外線センサー１１に対して出力されたトリガー信号を拡大し、拡大信号を出力する。
【００１１】
該制御モジュール２０は信号保持回路２１と電子スイッチ２２を含む。該信号保持回路２１は該拡大回路１２に連接する。該信号保持回路２１の作用は、該拡大回路１２が出力した拡大信号を、該信号保持回路２１の信号出力端上において一定時間保持することである。例えば、該拡大回路１２が出力した拡大信号は、該信号保持回路２１の信号出力端において１〜１５秒間保持するよう制御される。該電子スイッチ２２は該信号保持回路２１及び該ディスプレー３１とそれぞれ連接し、該信号保持回路２１が出力する信号に基づき該ディスプレー３１を制御し、該ディスプレー３１のオンとオフを制御する。
【００１２】
本考案の表示装置１を備える電子製品を使用すると、もし該赤外線センサー１１の周囲に人がおり、該赤外線センサー１１が人が発する赤外線を感知すると、トリガー信号を発する。該拡大回路１２は該トリガー信号を拡大後、拡大信号を出力する。該信号保持回路２１は該拡大回路１２が出力した拡大信号を一定時間保持し、該電子スイッチ２２を通して該ディスプレー３１をオンにする。こうして該ディスプレー３１は対応する画像や映像を表示する。該赤外線センサー１１の周囲に人がいない時には、該信号保持回路２１の維持時間が終了後、該電子スイッチ２２は該ディスプレー３１をオフにし、該ディスプレー３１は自動的にスクリーンセーバー状態(すなわち、休眠状態)に入り、こうして画像或いは映像の表示を停止する。
【００１３】
上記のように、本考案の表示装置１は赤外線モジュール１０を通して周囲に人がいるかどうかを感知し、次に制御モジュール２０によりディスプレー３１のオン或いはオフを制御する。こうして使用者は手動でディスプレーのオンとオフを制御する必要がなくなるため、使用の利便性が向上し、しかも本考案の表示装置１はディスプレー３１を即時にオン或いはオフ可能であるため、エネルギー消費を抑えることができる。
【図面の簡単な説明】
【００１４】
【図１】本考案表示装置の原理ブロックチャートである。
【符号の説明】
【００１５】
１  表示装置
１０  赤外線感知モジュール
１１  赤外線センサー
１２  拡大回路
１３  電圧安定回路
２０  制御モジュール
２１  信号保持回路
２２  電子スイッチ
３０  表示モジュール
３１  ディスプレー
【図１】
0003140548.tif 000003